(57)【要約】【課題】相互に色再現特性が異なる第１読取部及び第２読取部を備えた画像読取装置において、読取モードに応じて最適な色再現特性で原稿画像の読み取りを行えるようにする。【解決手段】本発明に係る画像読取装置によれば、制御部は、第１読取部のみを使用するＣＣＤモードでは、第１読取部の色域を再現する第１の３Ｄ−ＬＵＴを第１ＬＵＴに設定する。第２読取部のみを使用するＳｕｐｅｒ  Ｆｉｎｅモードでは、第２読取部の色域を再現する第２の３Ｄ−ＬＵＴを第２ＬＵＴに設定する。第１読取部及び第２読取部の双方を使用する両面同時読取モードでは、第１読取部と第２読取部の共通色域を算出し、算出した共通色域内の色値のみを出力するテーブルに第１の３Ｄ−ＬＵＴを補正して第１ＬＵＴに設定し、算出した共通色域内の色値のみを出力するテーブルに第２の３Ｄ−ＬＵＴを補正して第２ＬＵＴに設定する。【選択図】図４
2010021676.tif 000002
【特許請求の範囲】
【請求項１】
相互に色再現特性が異なる第１読取部及び第２読取部を備える画像読取装置であって、
読取モードを設定する操作部と、
色変換テーブルを用いて前記第１読取部により取得された画像データに色変換処理を施す第１変換部と、
色変換テーブルを用いて前記第２読取部により取得された画像データに色変換処理を施す第２変換部と、
前記第１読取部のみを使用する読取モードでは、前記第１読取部の色域を再現する色変換テーブルを前記第１変換部に設定し、
前記第２読取部のみを使用する読取モードにおいては、前記第２読取部の色域を再現する色変換テーブルを前記第２変換部に設定し、
前記第１読取部及び第２読取部の双方を使用する読取モードでは、前記第１読取部と前記第２読取部の共通の色域を算出し、前記第１読取部の色域を前記共通の色域に補正する色変換テーブルを前記第１変換部に、前記第２読取部の色域を前記共通の色域に補正する色変換テーブルを前記第２変換部に設定する制御部と、
を備える画像読取装置。
【請求項２】
記憶部を備え、
前記制御部は、予め前記第１読取部と前記第２読取部の共通の色域を算出し、前記第１読取部の色域を当該算出された共通の色域に補正する色変換テーブル、及び前記第２読取部の色域を当該算出された共通の色域に補正する色変換テーブルを作成して前記記憶部に記憶させておき、前記操作部により前記第１読取部及び第２読取部の双方を使用する読取モードが設定された際、前記記憶部から前記色変換テーブルを読み出して前記第１変換部及び前記第２変換部にそれぞれ設定する請求項１に記載の画像読取装置。
【請求項３】
前記読取モードは、前記第１読取部により両面を読み取る読取モードと、前記第２読取部により両面を読み取る読取モードを含み、
前記第１読取部又は前記第２読取部により一方面が読み取られた原稿を反転させる反転機構を備え、
前記制御部は、前記第１読取部により両面を読み取る読取モードでは前記第１読取部により一方面を読み取った原稿を前記反転機構により反転させて前記原稿の他方面を前記第１読取部により読み取らせ、前記第２読取部により両面を読み取る読取モードでは前記第２読取部により一方面を読み取った原稿を前記反転機構により反転させて前記原稿の他方面を前記第２読取部により読み取らせる請求項１又は２に記載の画像読取装置。
【請求項４】
前記第１読取部又は前記第２読取部により一方面が読み取られた原稿を反転させる反転機構を備え、
前記制御部は、前記第１読取部と前記第２読取部の故障を検知する機能を有し、前記第１読取部と前記第２読取部の何れか一方が故障している場合に、故障していない他方の読取部により前記原稿を読み取らせる制御を行う請求項１又は２に記載の画像読取装置。
【請求項５】
前記操作部は、前記第１読取部が故障している場合に、前記第２読取部により取得される画像データを前記第１読取部及び前記第２読取部の双方を使用したときと同等の画質で出力するか否かを選択するための操作画面を表示し、
前記制御部は、前記操作部の操作画面を介して前記第１読取部及び前記第２読取部の双方を使用したときと同等の画質で出力することが選択された場合に、前記第１読取部と前記第２読取部の共通の色域を算出し、前記第２変換部に前記第２読取部の色域を前記共通の色域に補正する色変換テーブルを設定する請求項４に記載の画像読取装置。
【請求項６】
前記操作部は、前記第２読取部が故障している場合に、前記第１読取部により取得される画像データを前記第１読取部及び前記第２読取部の双方を使用したときと同等の画質で出力するか否かを選択するための操作画面を表示し、
前記制御部は、前記操作部の操作画面を介して前記第１読取部及び前記第２読取部の双方を使用したときと同等の画質で出力することが選択された場合に、前記第１読取部と前記第２読取部の共通の色域を算出し、前記第１変換部に前記第１読取部の色域を前記共通の色域に補正する色変換テーブルを設定する請求項４に記載の画像読取装置。
【発明の詳細な説明】
【技術分野】
【０００１】
本発明は、画像読取装置に関する。
【背景技術】
【０００２】
原稿の画像を読み取る読取部は、主な構成要素として、原稿に光を照射する光源と原稿画像で反射された反射光の光量を電気信号へ変換する読取センサを備える。
この読取部を２つ用いて原稿を挟んで対向する位置に配置し、一対の読取部（第１読取部と第２読取部）とすることによって、原稿の両面を同時に読み取ることができる事が知られている（例えば、特許文献１参照）。
【０００３】
第１読取部と第２読取部は、一般的に、読取センサとしてＣＣＤ（Charge Coupled Devices）とＣＩＳ（Contact Image Sensor）の２つの異なるセンサが使用されており、濃度や色域等の色再現特性が異なる。そこで、従来、第１読取部と第２読取部のうち色再現性能が低いほうの色再現特性に他方の色再現特性を合わせることで、両面の色再現を合わせることが行われている。
【特許文献１】特開２００５−３４１１８５号公報
【発明の開示】
【発明が解決しようとする課題】
【０００４】
しかしながら、従来は、常に第１読取部と第２読取部のうち色再現性能が低いほうに他方の色域を合わせており、性能が高い方の特性を十分に生かすことができないという問題があった。
【０００５】
本発明の課題は、相互に色再現特性が異なる第１読取部及び第２読取部を備えた画像読取装置において、読取モードに応じて最適な色再現特性で原稿画像の読み取りを行えるようにすることである。
【課題を解決するための手段】
【０００６】
上記課題を解決するため、請求項１に記載の発明は、
相互に色再現特性が異なる第１読取部及び第２読取部を備える画像読取装置であって、
読取モードを設定する操作部と、
色変換テーブルを用いて前記第１読取部により取得された画像データに色変換処理を施す第１変換部と、
色変換テーブルを用いて前記第２読取部により取得された画像データに色変換処理を施す第２変換部と、
前記第１読取部のみを使用する読取モードでは、前記第１読取部の色域を再現する色変換テーブルを前記第１変換部に設定し、
前記第２読取部のみを使用する読取モードにおいては、前記第２読取部の色域を再現する色変換テーブルを前記第２変換部に設定し、
前記第１読取部及び第２読取部の双方を使用する読取モードでは、前記第１読取部と前記第２読取部の共通の色域を算出し、前記第１読取部の色域を前記共通の色域に補正する色変換テーブルを前記第１変換部に、前記第２読取部の色域を前記共通の色域に補正する色変換テーブルを前記第２変換部に設定する制御部と、
を備える。
【０００７】
請求項２に記載の発明は、請求項１に記載の発明において、
記憶部を備え、
前記制御部は、予め前記第１読取部と前記第２読取部の共通の色域を算出し、前記第１読取部の色域を当該算出された共通の色域に補正する色変換テーブル、及び前記第２読取部の色域を当該算出された共通の色域に補正する色変換テーブルを作成して前記記憶部に記憶させておき、前記操作部により前記第１読取部及び第２読取部の双方を使用する読取モードが設定された際、前記記憶部から前記色変換テーブルを読み出して前記第１変換部及び前記第２変換部にそれぞれ設定する。
【０００８】
請求項３に記載の発明は、請求項１又は２に記載の発明において、
前記読取モードは、前記第１読取部により両面を読み取る読取モードと、前記第２読取部により両面を読み取る読取モードを含み、
前記第１読取部又は前記第２読取部により一方面が読み取られた原稿を反転させる反転機構を備え、
前記制御部は、前記第１読取部により両面を読み取る読取モードでは前記第１読取部により一方面を読み取った原稿を前記反転機構により反転させて前記原稿の他方面を前記第１読取部により読み取らせ、前記第２読取部により両面を読み取る読取モードでは前記第２読取部により一方面を読み取った原稿を前記反転機構により反転させて前記原稿の他方面を前記第２読取部により読み取らせる。
【０００９】
請求項４記載の発明は、請求項１又は２に記載の発明において、
前記第１読取部又は前記第２読取部により一方面が読み取られた原稿を反転させる反転機構を備え、
前記制御部は、前記第１読取部と前記第２読取部の故障を検知する機能を有し、前記第１読取部と前記第２読取部の何れか一方が故障している場合に、故障していない他方の読取部により前記原稿を読み取らせる制御を行う。
【００１０】
請求項５に記載の発明は、請求項４に記載の発明において、
前記操作部は、前記第１読取部が故障している場合に、前記第２読取部により取得される画像データを前記第１読取部及び前記第２読取部の双方を使用したときと同等の画質で出力するか否かを選択するための操作画面を表示し、
前記制御部は、前記操作部の操作画面を介して前記第１読取部及び前記第２読取部の双方を使用したときと同等の画質で出力することが選択された場合に、前記第１読取部と前記第２読取部の共通の色域を算出し、前記第２変換部に前記第２読取部の色域を前記共通の色域に補正する色変換テーブルを設定する。
【００１１】
請求項６に記載の発明は、請求項４に記載の発明において、
前記操作部は、前記第２読取部が故障している場合に、前記第１読取部により取得される画像データを前記第１読取部及び前記第２読取部の双方を使用したときと同等の画質で出力するか否かを選択するための操作画面を表示し、
前記制御部は、前記操作部の操作画面を介して前記第１読取部及び前記第２読取部の双方を使用したときと同等の画質で出力することが選択された場合に、前記第１読取部と前記第２読取部の共通の色域を算出し、前記第１変換部に前記第１読取部の色域を前記共通の色域に補正する色変換テーブルを設定する。
【発明の効果】
【００１２】
本発明によれば、相互に色再現特性が異なる第１読取部及び第２読取部を備えた画像読取装置において、読取モードに応じて最適な色再現特性で原稿画像の読み取りを行うことが可能となる。
【発明を実施するための最良の形態】
【００１３】
〔第１の実施の形態〕
以下、図を参照して、本発明に係る第１の実施の形態を詳細に説明する。
まず、構成を説明する。
図１に、本実施の形態における画像読取装置１００の機能構成例を示す。図１に示すように、画像読取装置１００は、制御部１０、操作部２０、読取部３０、第１ＬＵＴ４０、第２ＬＵＴ５０、不揮発メモリ６０等を備えて構成されている。
【００１４】
制御部１０は、ＣＰＵ（Central Processing Unit）、ＲＯＭ（Read Only Memory）、ＲＡＭ（Random Access Memory）等により構成される。制御部１０のＲＯＭには、各種処理プログラムが記憶されており、制御部１０のＣＰＵは、ＲＯＭに記憶されている各種プログラムを読み出してＲＡＭに展開し、展開したプログラムに従って画像読取装置１００の各部の動作を制御する。
【００１５】
操作部２０は、ＬＣＤ（Liquid Crystal Display）２１、タッチパネル２２、キー入力部２３等を備えて構成されている。
ＬＣＤ２１は、制御部１０から入力される表示信号の指示に従って、各種操作画面、画像の状態表示、各機能の動作状況等の表示を行う表示部である。
タッチパネル２２は、ＬＣＤ２１の上面を覆うように設置されており、ユーザの指などを用いた操作によって押圧入力された所望の入力位置を検出し、その検出信号を制御部１０に出力する。
キー入力部２３は、テンキー、スタートキー、電源のＯＮ／ＯＦＦを切り替える電源キー等の各種操作キーを備え、キー操作による操作信号を制御部１０に出力する。
【００１６】
読取部３０は、第１読取部３１、第２読取部３２、原稿搬送部３３を備えて構成されている。図２に、読取部３０の機械的構成を模式的に示す。
【００１７】
第１読取部３１は、ＣＣＤ（Charge Coupled Devices）３１１、光源３１２、ミラー３１３〜３１５、レンズ３１６（図２参照）、Ａ／Ｄ変換部３１７（図１参照）を含む。
第１読取部３１においては、原稿Ｄが図２に示す読取位置６に嵌め込まれたガラス７を通過する際に、光源３１２により原稿Ｄのガラス７側の面に光が照射される。原稿Ｄからの反射光は、ミラー３１３〜３１５を介してレンズ３１６によってＣＣＤ３１１に集光され、ＣＣＤ３１１により電気信号（画像信号）に変換される。この過程により原稿Ｄの表面（一方面）の画像が読み取られる。ＣＣＤ３１１により読み取られた画像信号は、Ａ／Ｄ変換部３１７によりデジタル画像データに変換され、第１ＬＵＴ４０に出力される。
【００１８】
第２読取部３２は、ＣＩＳ（Contact Image Sensor）３２１、図示しない光源、レンズ、Ａ／Ｄ変換部３２２を含む。
第２読取部３２においては、原稿Ｄが図２に示す読取位置６を通過する際に、光源により原稿Ｄの裏面（他方面）に光が照射される。原稿Ｄからの反射光は、レンズによりＣＩＳ３２１に集光され、ＣＩＳ３２１により電気信号に変換される。この過程により原稿Ｄの裏面の画像が読み取られる。ＣＩＳ３２１により読み取られた画像信号は、Ａ／Ｄ変換部３２２によりデジタル画像データに変換され、第２ＬＵＴ５０に出力される。
【００１９】
原稿搬送部３３は、原稿検知センサ（図示せず）、ピックアップローラ２、分離ローラ３、レジストローラ４、搬送ローラ５、分岐爪８、９、排紙ローラ１１、中間ローラ１２等を含む。原稿台１に載置された原稿Ｄは、ピックアップローラ２、分離ローラ３、レジストローラ４及び搬送ローラ５によって読取位置６に搬送される。読取位置６において、第１読取部３１及び第２読取部３２により読み取られた原稿Ｄは、分岐爪８により排紙ローラ１１側に分岐されて排出される。
【００２０】
なお、原稿搬送部３３は、原稿Ｄを反転させる反転機構を備えており、第１読取部３１又は第２読取部３２の一方のみで表裏両面を読み取ることも可能である。この場合、原稿台１に載置された原稿Ｄは、まず、ピックアップローラ２、分離ローラ３、レジストローラ４及び搬送ローラ５によって読取位置６に搬送される。読取位置６において、第１読取部３１又は第２読取部３２により一方面が読み取られた原稿Ｄは、分岐爪８、９を介して原稿Ｄの後端が中間ローラ１２に挟まれたまま中間トレイ１３に排出される。原稿Ｄを裏返すために中間ローラ１２が逆転されると、原稿Ｄが裏返され、レジストローラ４及び搬送ローラ５を介して読取位置６に搬送される。そして、第１読取部３１又は第２読取部３２により他方面の画像が読み取られる。他方面が読み取られた原稿Ｄは、分岐爪８、９を介して中間ローラ１２に原稿Ｄが挟まれたまま中間トレイ１３に排出される。このとき、原稿Ｄは、他方面の画像を読み取るために裏返されているので、再度裏返して最初に表面として設定した面が上を向くように中間ローラ１２が逆転され、レジストローラ４及び搬送ローラ５とによって搬送され、読取位置６、分岐爪８を介して排紙ローラ１１によって排出される。
【００２１】
第１変換部としての第１ＬＵＴ４０は、制御部１０により設定された３Ｄ−ＬＵＴ（3Dimentional-Look Up Table）に基づいて、第１読取部３１から出力された画像データを色変換して制御部１０に出力する。
第２変換部としての第２ＬＵＴ５０は、制御部１０により設定された３Ｄ−ＬＵＴに基づいて、第２読取部３２から出力された画像データを色変換して制御部１０に出力する。
【００２２】
不揮発メモリ６０は、第１の３Ｄ−ＬＵＴ６１、第２の３Ｄ−ＬＵＴ６２、Ｌａｂ−ＲＧＢ変換テーブル６３、Ｌａｂ−ＲＧＢ変換テーブル６４を記憶している。
【００２３】
第１の３Ｄ−ＬＵＴ６１は、第１読取部３１から入力された画像データの色再現特性をそのまま利用するように入力ＲＧＢ値と出力ＲＧＢ値の対応関係を記述した色変換テーブルである。即ち、第１の３Ｄ−ＬＵＴ６１においては第１読取部３１の色域内の入力ＲＧＢ値に対し、同じ値が出力ＲＧＢ値として対応付けられている。
第２の３Ｄ−ＬＵＴ６２は、第２読取部３２から入力された画像データの色再現特性をそのまま利用するように入力ＲＧＢ値と出力ＲＧＢ値の対応関係を記述した色変換テーブルである。即ち、第２の３Ｄ−ＬＵＴ６２においては第２読取部３２の色域内の入力ＲＧＢ値に対し、同じ値が出力ＲＧＢ値として対応付けられている。
【００２４】
Ｌａｂ−ＲＧＢ変換テーブル６３は、第１読取部３１から入力される画像データのＲＧＢ値と、Ｌ＊ａ＊ｂ＊やＸＹＺなどの読取デバイスに依存しない共通色空間の色値との対応関係を記述したテーブルである。
Ｌａｂ−ＲＧＢ変換テーブル６４は、第２読取部３２から入力される画像データのＲＧＢ値と、Ｌ＊ａ＊ｂ＊やＸＹＺなどの読取デバイスに依存しない共通色空間の色値との対応関係を記述したテーブルである。
Ｌａｂ−ＲＧＢ変換テーブル６３、Ｌａｂ−ＲＧＢ変換テーブル６４は、以下の行程（１）〜（５）により作成され、不揮発メモリ６０に記憶される。
（１）図３に示すような基本チャートＤ１の各パッチを測色計で測定し、各パッチのＬ＊ａ＊ｂ＊値を取得する。基本チャートＤ１は、複数の異なる色からなる複数のパッチを格子状に並べたものである。上記複数のパッチは、例えば、Ｌ＊ａ＊ｂ＊色空間上から均等間隔に選択した色で作成されたものである。
（２）基本チャートＤ１を第１読取部３１で読み取り、各パッチのＲＧＢ値を取得する。
（３）各パッチについて、（１）で取得されたＬ＊ａ＊ｂ＊値と（２）で取得されたＲＧＢ値とを対応付け、各パッチ間の色のＲＧＢ値に対応するＬ＊ａ＊ｂ＊値を３次元補間等により求めてＬａｂ−ＲＧＢ変換テーブル６３を作成する。
（４）基本チャートＤ１を第２読取部３２で読み取り、各パッチのＲＧＢ値を取得する。
（５）各パッチについて、（１）で取得されたＬ＊ａ＊ｂ＊値と（４）で取得されたＲＧＢ値とを対応付け、各パッチ間の色のＲＧＢ値に対応するＬ＊ａ＊ｂ＊値を３次元補間等により求めてＬａｂ−ＲＧＢ変換テーブル６４を作成する。
【００２５】
上記の第１の３Ｄ−ＬＵＴ６１、第２の３Ｄ−ＬＵＴ６２、Ｌａｂ−ＲＧＢ変換テーブル６３、Ｌａｂ−ＲＧＢ変換テーブル６４の作成及び記憶は、工場内や画像読取装置１００の設置時、キャリブレーション時等に行われる。
【００２６】
次に、本実施の形態における動作について説明する。
図４に、制御部１０により実行される読取制御処理を示す。
まず、操作部２０の操作に応じてＬＣＤ２１に読取モード設定画面Ｇ１が表示される（ステップＳ１）。読取モード設定画面Ｇ１は、特に図示はしないが、「両面同時読取モード」を選択するための選択ボタン、「Ｓｕｐｅｒ  Ｆｉｎｅモード」を選択するための選択ボタン、「ＣＣＤモード」を選択するための選択ボタンが表示された画面である。当該読取モード設定画面Ｇ１において何れかの選択ボタンが押下されると、押下された選択ボタンに応じた読取モードが設定される。「Ｓｕｐｅｒ  Ｆｉｎｅモード」、又は「ＣＣＤモード」が選択された場合には、更に「両面読取」又は「片面読取」を選択するための選択ボタンが画面上に表示され、押下された選択ボタンに応じた読取モードが設定される。
【００２７】
ここで、「両面同時読取モード」とは、原稿Ｄが読取位置６に位置したときに原稿Ｄの表面を第１読取部３１が読み取り、裏面を第２読取部３２が読み取るモード、即ち、読取位置６への一回の通紙で両面を同時に読み取るモードである。「両面同時読取モード」では、原稿Ｄを反転させて再度読取位置６に搬送する必要がないので、高速に原稿Ｄの両面を読み取ることができる。
「Ｓｕｐｅｒ  Ｆｉｎｅモード」とは、第２読取部３２のみを用いて読み取りを行うモードである。ここで、第１読取部３１と第２読取部３２では相互に色再現特性（濃度、色域等）が異なる。具体的には、図５に示すように、第２読取部３２の色域（図５中Ａ１で示す）は第１読取部３１の色域（図５中Ａ２で示す）より広い。そこで、「Ｓｕｐｅｒ  Ｆｉｎｅモード」に設定し第２読取部３２で原稿Ｄを読み取るようにすることで、色再現性のよい画像を得ることができる。
「ＣＣＤモード」とは、第１読取部３１のみを用いて読み取りを行うモードである。ここで、図３に示すように、第１読取部３１の色域は第２読取部３２の色域より狭いが、第１読取部３１の特性を生かした読み取りを行いたいというユーザのニーズも存在する。そこで、「ＣＣＤモード」に設定し第１読取部３１で原稿Ｄを読み取るようにすることで、ＣＣＤの色再現特性を生かした画像を得ることができる。
【００２８】
読取モード設定画面Ｇ１において、「両面同時読取モード」が設定されると（ステップＳ２；ＹＥＳ）、第１読取部３１と第２読取部３２の共通の色域（共通色域）が算出される（ステップＳ３）。
【００２９】
ここで、上述のように、第１読取部３１と第２読取部３２とでは色域が異なる。両面同時読取をした画像を片面印刷して出力する場合、第１読取部３１と第２読取部３２の色域が異なると、ページによって、再現される画像の色の範囲が異なり好ましくない。また、両面同時読取をした画像を並べて１ページに印刷する２ｉｎ１で出力する場合、第１読取部３１と第２読取部３２の色域が異なると、１ページに再現される２つの画像の色の範囲が異なり好ましくない。また、両面同時読取をした画像を両面印刷して出力する場合、第１読取部３１と第２読取部３２の色域が異なると、再現される画像の色の範囲が表裏で異なり好ましくない。
そこで、本実施の形態においては、第１読取部３１と第２読取部３２の共通色域を算出し、第１読取部３１と第２読取部３２から出力された画像データを共通色域の範囲内となるように圧縮する。
【００３０】
ステップＳ３においては、まず、不揮発メモリ６０に記憶されているＬａｂ−ＲＧＢ変換テーブル６３に基づいて、第１読取部３１の色域が抽出される。基本チャートＤ１の各パッチの色は、上述のようにそれぞれ異なる。しかし、第１読取部３１では、色域から外れるとそれ以上の色の違いは認識できなくなり、出力する値が飽和する。そこで、ステップＳ３においては、Ｌａｂ−ＲＧＢ変換テーブル６３に存在しているＲ値、Ｇ値、Ｂ値のそれぞれについて、飽和点を抽出し、ＲＧＢ色空間上においてＲ、Ｇ、Ｂの何れか一つでも飽和している色を色域外の色とし、Ｒ、Ｇ、Ｂの何れも飽和していない色を色域内の色として抽出する。
次いで、同様の手法により、Ｌａｂ−ＲＧＢ変換テーブル６４に基づいて、第２読取部３２の色域を抽出する。
そして、第１読取部３１の色域と、第２読取部３２の色域に共通して含まれる領域を共通色域として算出する。具体的に、Ｌａｂ−ＲＧＢ変換テーブル６３を用いて、ＲＧＢ色空間上で求めた第１読取部３１の色域をＬ＊ａ＊ｂ＊色空間上の領域に変換する。同様に、Ｌａｂ−ＲＧＢ変換テーブル６４を用いて、ＲＧＢ色空間上で求めた第２読取部３２の色域をＬ＊ａ＊ｂ＊色空間上の領域に変換する。Ｌ＊ａ＊ｂ＊色空間上において、第１読取部３１の色域と第２読取部３２の色域の重複する領域を、共通色域として算出する。
【００３１】
次いで、不揮発メモリ６０に記憶されている第１の３Ｄ−ＬＵＴ６１が共通色域内の色値のみを出力するテーブルに補正され、補正済みの第１の３Ｄ−ＬＵＴ６１ｈが第１ＬＵＴ４０に設定される（ステップＳ４）。具体的に、第１の３Ｄ−ＬＵＴ６１において、上記算出された共通色域外の色を共通色域内の色に圧縮する処理を行う。例えば、第１の３Ｄ−ＬＵＴ６１における共通色域外の各色を共通色域内の色のうち色差が最小となる色に圧縮して第１の３Ｄ−ＬＵＴ６１ｈを作成する。
【００３２】
同様に、不揮発メモリ６０に記憶されている第２の３Ｄ−ＬＵＴ６２が共通色域内の色値のみを出力するテーブルに補正され、補正済みの第２の３Ｄ−ＬＵＴ６２ｈが第２ＬＵＴ５０に設定される（ステップＳ５）。具体的に、第２の３Ｄ−ＬＵＴ６２において、上記算出された共通色域外の色を共通色域内の色に圧縮する処理を行う。例えば、第２の３Ｄ−ＬＵＴ６２における共通色域外の各色を共通色域内の色のうち色差が最小となる色に圧縮して第２の３Ｄ−ＬＵＴ６２ｈを作成する。
【００３３】
第１ＬＵＴ４０及び第２ＬＵＴ５０のそれぞれに３Ｄ−ＬＵＴが設定されると、両面同時読取制御処理が実行され（ステップＳ６）、本処理は終了する。
【００３４】
図６に、制御部１０により実行される両面同時読取制御処理のフローを示す。
両面同時読取制御処理においては、まず、原稿搬送部３３により原稿台１に載置された原稿Ｄが読取位置６に搬送され（ステップＳ１０１）、第１読取部３１により原稿Ｄの表面が、第２読取部３２により原稿Ｄの裏面が読み取られる（ステップＳ１０２）。
【００３５】
第１読取部３１のＣＣＤ３１１により読み取られた原稿Ｄ表面の画像信号はＡ／Ｄ変換部３１７を介して第１ＬＵＴ４０に入力され、第１ＬＵＴ４０において第１の３Ｄ−ＬＵＴ６１ｈを用いて色変換処理が行われる。第２読取部３２のＣＩＳ３２１により読み取られた原稿Ｄ裏面の画像信号はＡ／Ｄ変換部３２２を介して第２ＬＵＴ５０に入力され、第２ＬＵＴ５０において第２の３Ｄ−ＬＵＴ６２ｈを用いて色変換処理が行われる（ステップＳ１０３）。
【００３６】
次いで、原稿台１に原稿Ｄが載置されているか否かを検出することにより全ての原稿Ｄの読み取りが終了したか否かが判断され、全ての原稿Ｄの読み取りが終了していないと判断されると（ステップＳ１０４；ＮＯ）、次の原稿Ｄが原稿搬送部３３により搬送され（ステップＳ１０５）、処理はステップＳ１０２に戻る。全ての原稿Ｄの読み取りが終了したと判断されると（ステップＳ１０４；ＹＥＳ）、本処理は終了する。
【００３７】
図４に戻り、読取モード設定画面Ｇ１において、両面同時読取モードではなく、Ｓｕｐｅｒ  Ｆｉｎｅモードが設定されると（ステップＳ２；ＮＯ、ステップＳ７；ＹＥＳ）、不揮発メモリ６０から第２の３Ｄ−ＬＵＴ６２が読み出され第２ＬＵＴ５０に設定され（ステップＳ８）、ＣＩＳ読取制御処理が実行される（ステップＳ９）。ＣＩＳ読取制御処理が終了すると、本処理は終了する。
【００３８】
図７に、制御部１０により実行されるＣＩＳ読取制御処理のフローを示す。
ＣＩＳ読取制御処理においては、まず、原稿搬送部３３により原稿台１に載置された原稿Ｄが読取位置６に搬送され（ステップＳ２０１）、第２読取部３２のＣＩＳ３２１により原稿Ｄが読み取られ（ステップＳ２０２）、得られた画像データが第２ＬＵＴ５０により色変換される（ステップＳ２０３）。
【００３９】
次いで、両面読取モードが設定されているか否かが判断される（ステップＳ２０４）。両面読取モードが設定されていないと判断されると（ステップＳ２０４；ＮＯ）、処理はステップＳ２０７に移行する。両面読取モードが設定されていると判断されると（ステップＳ２０４；ＹＥＳ）、両面を読み取ったか否かが判断され、両面を読み取っていないと判断されると（ステップＳ２０５；ＮＯ）、原稿Ｄが反転され（ステップＳ２０６）、処理はステップＳ２０２に戻る。ステップＳ２０５において、両面を読み取ったと判断されると（ステップＳ２０５；ＹＥＳ）、処理はステップＳ２０７に移行する。
【００４０】
ステップＳ２０７においては、原稿台１に原稿Ｄが載置されているか否かを検出することにより全ての原稿Ｄの読み取りが終了したか否かが判断され、全ての原稿Ｄの読み取りが終了していないと判断されると（ステップＳ２０７；ＮＯ）、次の原稿Ｄが原稿搬送部３３により搬送され（ステップＳ２０８）、処理はステップＳ２０２に戻る。全ての原稿Ｄの読み取りが終了したと判断されると（ステップＳ２０７；ＹＥＳ）、本処理は終了する。
【００４１】
図４に戻り、読取モード設定画面Ｇ１において、ＣＣＤモードが設定されると（ステップＳ２；ＮＯ、ステップＳ７；ＮＯ）、不揮発メモリ６０から第１の３Ｄ−ＬＵＴ６１が読み出されて第１ＬＵＴ４０に設定され（ステップＳ１０）、ＣＣＤ読取制御処理が実行される（ステップＳ１１）。ＣＣＤ読取制御処理が終了すると、本処理は終了する。
【００４２】
図８に、制御部１０により実行されるＣＣＤ読取制御処理のフローを示す。
ＣＣＤ読取制御処理においては、まず、原稿搬送部３３により原稿台１に載置された原稿Ｄが読取位置６に搬送され（ステップＳ３０１）、第１読取部３１のＣＣＤ３１１により原稿Ｄが読み取られ（ステップＳ３０２）、得られた画像データが第１ＬＵＴ４０により色変換される（ステップＳ３０３）。
【００４３】
次いで、両面読取モードが設定されているか否かが判断される（ステップＳ３０４）。両面読取モードが設定されていないと判断されると（ステップＳ３０４；ＮＯ）、処理はステップＳ３０７に移行する。両面読取モードが設定されていると判断されると（ステップＳ３０４；ＹＥＳ）、両面を読み取ったか否かが判断され、両面を読み取っていないと判断されると（ステップＳ３０５；ＮＯ）、原稿Ｄが反転され（ステップＳ３０６）、処理はステップＳ３０２に戻る。ステップＳ３０５において、両面を読み取ったと判断されると（ステップＳ３０５；ＹＥＳ）、処理はステップＳ３０７に移行する。
【００４４】
ステップＳ３０７においては、原稿台１に原稿Ｄが載置されているか否かを検出することにより全ての原稿Ｄの読み取りが終了したか否かが判断され、全ての原稿Ｄの読み取りが終了していないと判断されると（ステップＳ３０７；ＮＯ）、次の原稿Ｄが原稿搬送部３３により搬送され（ステップＳ３０８）、処理はステップＳ３０２に戻る。全ての原稿Ｄの読み取りが終了したと判断されると（ステップＳ３０７；ＹＥＳ）、本処理は終了する。
【００４５】
以上説明したように、画像読取装置１００によれば、制御部１０は、第１読取部３１のみを使用するＣＣＤモードでは、第１読取部３１の色域を再現する第１の３Ｄ−ＬＵＴ６１を第１ＬＵＴ４０に設定する。第２読取部３２のみを使用するＳｕｐｅｒ  Ｆｉｎｅモードでは、第２読取部３２の色域を再現する第２の３Ｄ−ＬＵＴ６２を第２ＬＵＴ５０に設定する。第１読取部３１及び第２読取部３２の双方を使用する両面同時読取モードでは、第１読取部３１と第２読取部３２の共通色域を算出し、算出した共通色域内の色値のみを出力するテーブルに第１の３Ｄ−ＬＵＴ６１を補正して第１ＬＵＴ４０に設定し、算出した共通色域内の色値のみを出力するテーブルに第２の３Ｄ−ＬＵＴ６２を補正して第２ＬＵＴ５０に設定する。
【００４６】
従って、使用する読取部が１つだけの読取モードでは、使用する読取部の色域を犠牲にすることなくその色再現性能をそのまま利用することができ、双方の読取部を使用する読取モードでは、２つの読取部の色再現特性を合わせることができるので、読取モードに応じて最適な色再現特性で原稿画像の読み取りを行うことが可能となる。
【００４７】
また、原稿搬送部３３は原稿を反転させる反転機構を備えているので、ユーザが所望する色再現特性の読取部のみを使用して両面読取を含む原稿画像の読み取りを行うことが可能となる。
【００４８】
なお、上記第１の実施の形態においては、両面同時読取モードが設定された際に第１読取部３１と第２読取部３２の共通色域を算出することとしたが、ウォームアップ時等に予め第１読取部３１と第２読取部３２の共通色域を算出し、第１の３Ｄ−ＬＵＴ６１ｈ、第２の３Ｄ−ＬＵＴ６２ｈを作成して不揮発メモリ６０に記憶しておき、両面同時読取モードが設定された際には不揮発メモリ６０に記憶された第１の３Ｄ−ＬＵＴ６１ｈ、第２の３Ｄ−ＬＵＴ６２ｈを読み出して設定を行うようにしてもよい。このように構成することにより、原稿読取動作にかかる時間を短縮することが可能となる。
【００４９】
〔第２の実施の形態〕
次に、本発明の第２の実施の形態について説明する。
第２の実施の形態の構成は、第１の実施の形態で説明したものと同様であるので説明を省略し、以下第２の実施の形態の動作について説明する。
【００５０】
図９に、制御部１０により実行される故障検知処理のフローを示す。当該処理は、操作部２０の操作により画像の読み取りが指示された際に実行される。
【００５１】
まず、故障している読取デバイスがあるか否かが判断される（ステップＳ２１）。例えば、故障している読取デバイスは、以下のようにして判断できる。
電源ＯＮによる画像読取装置１００の立ち上げ時等に、制御部１０と、第１読取部３１のＣＣＤ３１１、第２読取部３２のＣＩＳ３２１のそれぞれと通信が行われ、図示しない白色基準板を光源を点灯させて読み取ったときの値と光源を消灯させて読み取ったときの値がそれぞれの読取デバイスから出力される。制御部１０においては、このときに出力される値に基づいて、第１読取部３１又は第２読取部３２が故障しているか否かが判断される。例えば、光源を点灯させたときとさせないときの値が同じであった場合、光源が故障していると判断される。この判断結果は、不揮発メモリ６０の所定領域に記憶され、ステップＳ２１において参照される。
【００５２】
故障している読取デバイスがないと判断されると（ステップＳ２１；なし）、図４を用いて説明した読取制御処理が実行される（ステップＳ２２）。読取制御処理が終了すると、本処理は終了する。
【００５３】
ステップＳ２１において、第２読取部３２が故障していると判断されると（ステップＳ２１；第２読取部）、ＬＣＤ２１に読取モード設定画面Ｇ２が表示される（ステップＳ２３）。読取モード設定画面Ｇ２は、特に図示しないが、第２読取部３２が故障していることの警告情報、読取モードとして「ＣＣＤ画質」を選択するための選択ボタン、「同時読取画質」を選択するための選択ボタン等が表示された画面である。更に、読取モード設定画面Ｇ２には、「両面読取」「片面読取」のいずれかを選択するための選択ボタンが表示されている。当該読取モード設定画面Ｇ２において何れかの選択ボタンが押下されると、押下された選択ボタンに応じた読取モードが設定される。
【００５４】
読取モード設定画面Ｇ２から読取モードとして「ＣＣＤ画質」が設定されると（ステップＳ２４；ＣＣＤ画質）、不揮発メモリ６０から第１の３Ｄ−ＬＵＴ６１が読み出され第１ＬＵＴ４０に設定され（ステップＳ２５）、ＣＣＤ読取制御処理が実行される（ステップＳ２８）。ＣＣＤ読取制御処理は、図８を用いて説明したのと同様であるので説明を省略する。ＣＣＤ読取制御処理が終了すると、本処理は終了する。
【００５５】
一方、読取モード設定画面Ｇ２から「同時読取画質」が設定されると（ステップＳ２４；同時読取画質）、第１読取部３１と第２読取部３２の共通色域が算出される（ステップＳ２６）。共通色域の算出方法は、図４のステップＳ３で説明したのと同様である。
次いで、不揮発メモリ６０に記憶されている第１の３Ｄ−ＬＵＴ６１が共通色域内の色値のみを出力するテーブルに補正され、補正済みの第１の３Ｄ−ＬＵＴ６１ｈが第１ＬＵＴ４０に設定される（ステップＳ２７）。ステップＳ２７の処理は、図４のステップＳ４で説明したのと同様である。そして、図８に示したＣＣＤ読取制御処理が実行される（ステップＳ２８）。ＣＣＤ読取制御処理が終了すると、本処理は終了する。
【００５６】
ステップＳ２１において、第１読取部３１が故障していると判断されると（ステップＳ２１；第１読取部）、ＬＣＤ２１に読取モード設定画面Ｇ３が表示される（ステップＳ２９）。読取モード設定画面Ｇ３は、特に図示しないが、第１読取部３１が故障していることの警告情報、読取モードとして「ＣＩＳ画質」を選択するための選択ボタン、「同時読取画質」を選択するための選択ボタン等が表示された画面である。更に、読取モード設定画面Ｇ３には、「両面読取」「片面読取」のいずれかを選択するための選択ボタンが表示されている。当該読取モード設定画面Ｇ３において何れかの選択ボタンが押下されると、押下された選択ボタンに応じた読取モードが設定される。
【００５７】
読取モード設定画面Ｇ３から読取モードとして「ＣＩＳ画質」が設定されると（ステップＳ３０；ＣＩＳ画質）、不揮発メモリ６０から第２の３Ｄ−ＬＵＴ６２が読み出されて第２ＬＵＴ５０に設定され（ステップＳ３１）、ＣＩＳ読取制御処理が実行される（ステップＳ３４）。ＣＣＤ読取制御処理は、図７を用いて説明したのと同様であるので説明を省略する。ＣＩＳ読取制御処理が終了すると、本処理は終了する。
【００５８】
一方、読取モード設定画面Ｇ３から「同時読取画質」が設定されると（ステップＳ３０；同時読取画質）、第１読取部３１と第２読取部３２の共通色域が算出される（ステップＳ３２）。共通色域の算出方法は、図４のステップＳ３で説明したのと同様である。
次いで、不揮発メモリ６０に記憶されている第２の３Ｄ−ＬＵＴ６２が共通色域内の色値のみを出力するテーブルに補正され、補正済みの第２の３Ｄ−ＬＵＴ６２ｈが第２ＬＵＴ５０に設定される（ステップＳ３３）。ステップＳ３３の処理は、図４のステップＳ５で説明したのと同様である。そして、図７に示したＣＩＳ読取制御処理が実行される（ステップＳ３４）。ＣＩＳ読取制御処理が終了すると、本処理は終了する。
【００５９】
以上説明したように、第２の実施の形態における画像読取装置１００によれば、制御部１０は、第１読取部３１及び第２読取部３２の故障を検知する機能を有し、何れか一方の読取部の故障を検知した場合、他の読取部で原稿を読み取るよう制御を行う。具体的に、第１読取部３１の故障を検知した場合、制御部１０は、第２読取部３２のみを使用する読取モードの設定を行う読取モード設定画面Ｇ３を表示し、第２読取部３２の故障を検知した場合、制御部１０は、第１読取部３１のみを使用する読取モードの設定を行う読取モード設定画面Ｇ２を表示する。そして、表示された読取モード設定画面からの設定に応じて原稿の読取制御を行う。
【００６０】
従って、２つの読取部のうち何れか一方が故障していても、故障していない他方の読取部のみを使用して原稿の読み取りを行うことが可能となる。
【００６１】
また、故障していない他方の読取部で読み取りを行う場合であっても、双方の読取部を使用したときの画質と同等の画質で出力する「同時読取画質」の読取モードを選択可能に設定画面が表示され、「同時読取画質」が選択された場合には、制御部１０は、第１読取部３１と第２読取部３２の共通色域を算出し、算出した共通色域内の色値のみを出力するテーブルに第１の３Ｄ−ＬＵＴ６１を補正して第１ＬＵＴ４０に設定し、算出した共通色域内の色値のみを出力するテーブルに第２の３Ｄ−ＬＵＴ６２を補正して第２ＬＵＴ５０に設定する。
【００６２】
従って、何れか一方の読取部が故障していても、両面同時読取を行ったときと同等の画質の読取画像を取得することが可能となる。
【００６３】
なお、上記実施の形態における記述内容は、本発明に係る画像読取装置１００の好適な一例であり、これに限定されるものではない。
【００６４】
例えば、上記第２の実施の形態においては、両面同時読取モード又は同時読取画質の読取モードが設定された際に第１読取部３１と第２読取部３２の共通色域を算出することとしたが、ウォームアップ時等に予め第１読取部３１と第２読取部３２の共通色域を算出し、第１の３Ｄ−ＬＵＴ６１ｈ、第２の３Ｄ−ＬＵＴ６２ｈを作成して不揮発メモリ６０に記憶しておき、両面同時読取モードが設定された際には不揮発メモリ６０に記憶された第１の３Ｄ−ＬＵＴ６１ｈ、第２の３Ｄ−ＬＵＴ６２ｈを読み出して設定を行うようにしてもよい。このように構成することにより、原稿読取動作にかかる時間を短縮することが可能となる。
【００６５】
その他、画像読取装置１００を構成する各装置の細部構成及び細部動作に関しても、本発明の趣旨を逸脱することのない範囲で適宜変更可能である。
【図面の簡単な説明】
【００６６】
【図１】本発明の実施の形態における画像読取装置の機能的構成を示すブロック図である。
【図２】図１の読取部の機械的構成を模式的に示す図である。
【図３】基本チャートの一例を示す図である。
【図４】図１の制御部により実行される読取制御処理を示すフローチャートである。
【図５】図１の第１読取部及び第２読取部の色域を模式的に示す図である。
【図６】図１の制御部により実行される両面同時読取制御処理示すフローチャートである。
【図７】図１の制御部により実行されるＣＩＳ読取制御処理を示すフローチャートである。
【図８】図１の制御部により実行されるＣＣＤ読取制御処理を示すフローチャートである。
【図９】図１の制御部により実行される故障検知処理を示すフローチャートである。
【符号の説明】
【００６７】
１００  画像読取装置
１０  制御部
２０  操作部
２１  ＬＣＤ
２２  タッチパネル
２３  キー入力部
３０  読取部
３１  第１読取部
３１１  ＣＣＤ
３１２  光源
３１３〜３１５  ミラー
３１６  レンズ
３１７  Ａ／Ｄ変換部
３２    第２読取部
３２１  ＣＩＳ
３２２  Ａ／Ｄ変換部
３３  原稿搬送部
１    原稿台
２    ピックアップローラ
３    分離ローラ
４    レジストローラ
５    搬送ローラ
８、９  分岐爪
１１  排紙ローラ
１２  中間ローラ
４０  第１ＬＵＴ
５０  第２ＬＵＴ
６０  不揮発メモリ
６１  第１の３Ｄ−ＬＵＴ
６２  第２の３Ｄ−ＬＵＴ
６３  Ｌａｂ−ＲＧＢ変換テーブル
６４  Ｌａｂ−ＲＧＢ変換テーブル
【図１】
2010021676.tif 000003
【図２】
2010021676.tif 000004
【図４】
2010021676.tif 000005
【図５】
2010021676.tif 000006
【図６】
2010021676.tif 000007
【図７】
2010021676.tif 000008
【図８】
2010021676.tif 000009
【図９】
2010021676.tif 000010
【図３】
2010021676.tif 000011